(57)【要約】      （修正有）【課題】立体駐車場等の屋根を有する建造物において、防鳥ネットの設置下で低発泡倍率の泡消火薬剤を好適に使用できる防鳥・消火機能付き建造物構造を提供する。【解決手段】屋根を有する建造物内において床上の防火区域の略上方に設けられた網目構造を有する防鳥ネット１０２と、防鳥ネットの上方に設けられた少なくとも１つの泡水溶液ヘッド１０４と、泡水溶液ヘッドに泡消火薬剤を供給するための泡消火薬剤貯蔵槽と、を具備し、防鳥ネットが難燃性樹脂で構成されており、網目構造が略正方形の開口を有し開口の一辺が１０〜５０ｍｍであり、泡水溶液ヘッドから放出される泡消火薬剤の発泡倍率が５倍未満である。【選択図】図６
0003227066.tif 000002
【実用新案登録請求の範囲】
【請求項１】
屋根を有する建造物内において床上の防火区域の略上方に設けられた網目構造を有する防鳥ネットと、
前記防鳥ネットの上方に設けられた少なくとも１つの泡水溶液ヘッドと、
前記泡水溶液ヘッドに泡消火薬剤を供給するための泡消火薬剤貯蔵槽と、
を具備し、
前記防鳥ネットが難燃性樹脂で構成されており、
前記網目構造が略正方形の開口を有し前記開口の一辺が１０〜５０ｍｍであり、
前記泡水溶液ヘッドから放出される前記泡消火薬剤の発泡倍率が５倍未満であること、
を特徴とする防鳥・消火機能付き建造物構造。
【請求項２】
前記開口の一辺が１５〜４５ｍｍであること、
を特徴とする請求項１に記載の防鳥・消火機能付き建造物構造。
【請求項３】
前記難燃性樹脂がポリエチレン又はポリエステルで構成されていること、
を特徴とする請求項１又は２に記載の防鳥・消火機能付き建造物構造。
【考案の詳細な説明】
【技術分野】
【０００１】
本考案は、立体駐車場等の屋根を有する建造物における防鳥・消火機能付き建造物構造に関する。
【背景技術】
【０００２】
従来から、立体駐車場等の屋根のある建造物には種々の泡消火設備が配置されており、かかる泡消火設備には、閉鎖型泡水溶液ヘッド又は開放型泡水溶液ヘッドが使用されている。閉鎖型泡水溶液ヘッドを使用した泡消火設備については、例えば特許文献１（特開２００１−５７３号公報）において、小流量の泡消火薬剤混合装置を用い、防火領域内において火災発生地点近傍で火災を感知するヘッドのみから泡水溶液を放出する技術が開示されている。
【先行技術文献】
【特許文献】
【０００３】
【特許文献１】特開２００１−５７３号公報
【考案の概要】
【考案が解決しようとする課題】
【０００４】
ところで、屋根を有しかつ外部に開放された空間を有する建造物では、鳩等の鳥が巣を造る等の鳥害を防止するために内部に防鳥ネットが設置されることがある。
【０００５】
近年、発泡倍率５倍未満の泡消火薬剤を使用する泡消火設備が増加しているところ、こうした消火設備にも防鳥ネットの併用が求められている。しかし、かかる低発泡倍率の泡消火設備とともに好適に使用できる防鳥ネットの構造は提案されていない。
【０００６】
そこで、本考案は、立体駐車場等の屋根を有する建造物において、防鳥ネットの設置下で発泡倍率５倍未満の泡消火薬剤とともに好適に使用できる防鳥・消火機能付き建造物構造を提供することを目的とする。
【課題を解決するための手段】
【０００７】
上述した課題を解決すべく、本考案者らは、鋭意実験を繰り返して検討した結果、防鳥ネットの網目構造を適宜調節することが有効であることを見出し、本考案を完成するに至った。
【０００８】
すなわち、本考案は、
屋根を有する建造物内において床上の防火区域の略上方に設けられた網目構造を有する防鳥ネットと、
前記防鳥ネットの上方に設けられた少なくとも１つの泡水溶液ヘッドと、
前記泡水溶液ヘッドに泡消火薬剤を供給するための泡消火薬剤貯蔵槽と、
を具備し、
前記防鳥ネットが難燃性樹脂で構成されており、
前記網目構造が略正方形の開口を有し前記開口の一辺が１０〜５０ｍｍであり、
前記泡水溶液ヘッドから放出される前記泡消火薬剤の発泡倍率が５倍未満であること、
を特徴とする防鳥・消火機能付き建造物構造、
を提供する。
【０００９】
このような構成を有する本考案の防鳥・消火機能付き建造物構造によれば、立体駐車場等の屋根を有する建造物に適用した場合に、低発泡倍率の泡消火薬剤が防鳥ネットを通過して消火機能を損なわずに防火領域に到達することができ、十分な防鳥・消火効果を得ることができる。
【００１０】
また、上記の本考案の防鳥・消火機能付き建造物構造においては、前記開口の一辺が１５〜４５ｍｍであること、が好ましい。
【００１１】
このような構成を有する本考案の防鳥・消火機能付き建造物構造によれば、より確実に、低発泡倍率の泡消火薬剤が防鳥ネットを通過して消火機能を損なわずに防火領域に到達できるとともに、防鳥効果も担保でき、十分な防鳥・消火効果を得ることができる。
【００１２】
また、上記の本考案の防鳥・消火機能付き建造物構造においては、前記難燃性樹脂がポリエチレン又はポリエステルで構成されていること、が好ましい。
【００１３】
このような構成を有する本考案の防鳥・消火機能付き建造物構造によれば、防鳥ネットが火災によって溶け落ちにくく、十分な消火・延焼防止効果を得ることができる。
【考案の効果】
【００１４】
本考案によれば、立体駐車場等の屋根を有する建造物において、防鳥ネットの設置下で発泡倍率５倍未満の泡消火薬剤とともに好適に使用できる防鳥・消火機能付き建造物構造を実現できる。
【図面の簡単な説明】
【００１５】
【図１】本実施形態に係る防鳥・消火機能付き建造物構造において好適に使用される泡水溶液ヘッド１０４の概略を示す斜視図である。
【図２】図１の泡水溶液ヘッド１０４の断面図である。
【図３】図１の泡水溶液ヘッド１０４を構成するデフレクタ４０の上面図である。
【図４】図３のデフレクタ４０の断面図である。
【図５】泡水溶液の噴出時における泡水溶液ヘッド１０４を示す断面図である。
【図６】本実施形態に係る防鳥・消火機能付き建造物構造の適用例としての自走式の立体駐車場１００の概略図である。
【考案を実施するための形態】
【００１６】
以下、本考案の防鳥・消火機能付き建造物構造の代表的な実施形態について、図面を参照しつつ詳細に説明する。なお、本考案はこれら図面に限定されるものではない。また、図面は、本考案を概念的に説明するためのものであるから、理解容易のために、必要に応じて寸法、比又は数を誇張又は簡略化して表している場合もある。
【００１７】
図６に示すように、本実施形態に係る防鳥・消火機能付き建造物構造の適用例としての自走式の立体駐車場１００は、自動車が駐車されている床上の防火領域（燃焼物があり火災が起こるであろうと想定され、消火の対象となる領域）の略上方に設けられた網目構造を有する防鳥ネット１０２と、防鳥ネット１０２の上方に設けられた少なくとも１つの泡水溶液ヘッド１０４（本実施形態では３つ）と、泡水溶液ヘッド１０４に泡消火薬剤を供給するための泡消火薬剤貯蔵槽を含む泡消火設備（図示せず。）と、を具備している。
【００１８】
（１）防鳥ネット１０２
防鳥ネット１０２は、略矩形（例えば正方形、長方形、又は平行四辺形（菱形）等）の開口を有する網目構造を有し、難燃性樹脂で構成されている。
【００１９】
この開口は、防鳥効果を得るためには小さくてもよいが、小さすぎると後述する泡水溶液ヘッド１０４から分散放射された泡消火薬剤が防火領域にくまなく到達せず、十分な消火機能を発現しないおそれがある。本考案者らは、網目構造が略正方形の開口を有し開口の一辺が１０〜５０ｍｍであれば、発泡倍率５倍未満の泡消火薬剤が十分な消火機能を保持したまま防火領域に到達することを、実験により見出した。
【００２０】
この点、５倍未満の設備においては、発泡性能（発泡倍率と２５％還元時間）は要求されないため、防鳥ネットの設置による発泡性能への影響は考慮する必要がない。さらに、分布性能、消火性能においても、防鳥ネットの開口寸法により受ける影響の度合いが５倍以上の設備の時とは異なる。そのため、発泡倍率５倍以上の設備と５倍未満の設備では、性能に悪影響を及ぼさないような防鳥ネットの開口寸法は自ずと異なるのである。
【００２１】
なかでも、開口の一辺が１５〜４５ｍｍであると、より確実に、泡消火薬剤が防鳥ネットを通過して防火領域に満遍なく到達させることができ、防鳥効果も担保でき、十分な防鳥・消火効果を得ることができる。
【００２２】
かかる防鳥ネット１０２を構成する難燃性樹脂には、本考案の効果を損なわない範囲で種々の樹脂を含む樹脂組成物を用いることができる。難燃性樹脂を用いることで、防鳥ネットが火災によって溶け落ちにくくなり、十分な消火・延焼防止効果を得ることができる。
例えば、下記の熱可塑性樹脂を基材とする樹脂組成物を用いることができる。
【００２３】
・ポリオレフィン樹脂
例えば、ポリエチレン樹脂（例えば塩素化ポリエチレン）、ポリプロピレン樹脂、ポリ−１−ブテン樹脂、ポリ−４−メチル−１−ペンテン樹脂、ポリ−１−ヘキセン樹脂、ポリ−１−オクテン樹脂、及びポリ−１−デセン樹脂のうちの１種の樹脂又はこれらの２種以上の混合物（組成物）
【００２４】
・ビニル重合体樹脂
例えば、ポリスチレン、ポリ−α−メチルスチレン、ポリメチル（メタ）アクリレート樹脂（ＰＭＭＡ）、アクリロニトリル−ブタジエン−スチレン共重合体（ＡＢＳ樹脂）、アクリロニトリル−スチレン共重合体（ＡＳ樹脂）
【００２５】
・縮合重合型樹脂
例えば、ナイロン（ＮＹ）、熱可塑性ポリエステル（ＰＥＴ、ＰＢＴ等）、ポリカーボネート（ＰＣ）、熱可塑性ポリウレタン（ＰＵ）、ポリスルホン（ＰＳ）、ポリフェニレンエーテル（ＰＰＥ）
【００２６】
・熱可塑性エラストマー（ＴＰＥ又はＴＰＲ）
例えば、オレフィン系熱可塑性エラストマー及びスチレン系熱可塑性エラストマー等（例えば、１−オレフィン系熱可塑性結晶性樹脂（ＰＯ）とエチレン−プロピレン共重合体エラストマー（ＥＰＭ）との重合体組成物又は該重合体組成物の部分架橋物、１−オレフィン系熱可塑性結晶性樹脂（ＰＯ）とエチレン−プロピレン−非共役ジオレフィン共重合体エラストマー（ＥＰＤＭ）との重合体組成物又は該重合体組成物の部分架橋物
【００２７】
上記の難燃性樹脂を構成する樹脂組成物には、通常添加される各種の添加剤、例えば、難燃剤、難燃助剤、酸化防止剤、耐熱安定剤、紫外線防止剤、帯電防止剤、銅害防止剤、滑剤、中和剤（高級脂肪酸金属塩、例えば、ステアリン酸カルシウム、ステアリン酸亜鉛、金属酸化物・金属水酸化物複合塩、例えばハイドロタルサイト若しくはマナセアイト等）、造核剤又は顔料等を適宜併用することができる。
【００２８】
特に難燃剤及び難燃助剤としては、例えば、トリアジン環含有化合物、金属水酸化物、その他の無機リン系難燃剤、ハロゲン系難燃剤、シリコーン系難燃剤、リン酸エステル系難燃剤、縮合リン酸エステル系難燃剤、三酸化アンチモン等の酸化アンチモン系難燃助剤、その他の無機系難燃助剤、有機系難燃助剤等が挙げられる。
【００２９】
なかでも、防鳥ネット１０２が火災によって燃焼する際に生じる、塩素化ポリエチレンや含ハロゲンエラストマーとの難燃性への相乗効果の観点からは、酸化アンチモン系難燃助剤が好ましく、特に、三酸化アンチモンが好ましい。これらは単独で用いてもよく、２種以上を併用してもよい。
【００３０】
（２）泡水溶液ヘッド１０４
泡水溶液ヘッド１０４の一例を図１〜図５を参照しながら説明する。
説明の便宜上、図面上の座標軸を次のように定める。つまり、Ｚ軸の正方向を鉛直上向きとし、Ｘ軸方向を、Ｚ軸に直交するとともに一対のアーム５１，５２が整列する方向とする。Ｙ軸方向をＸ軸とＺ軸とに直交する方向とする。
したがって、以下の説明において「上」とはＺ軸の正方向を指し、「下」とはＺ軸の負方向を指す。
【００３１】
泡水溶液ヘッド１０４は、泡水溶液供給用の配管に接続された状態で使用されるところ、ここでは、泡水溶液ヘッドの一例として、配管内に常時泡水溶液が満たされる閉鎖型の泡水溶液ヘッドであり、かつ、泡水溶液の噴射口が鉛直下方を向く下向きタイプである場合を挙げる。したがって、泡水溶液が散水されるべき床面は、泡水溶液ヘッドのデフレクタより下側（Ｚ軸の負側）にある。ただし、本考案はこれに限られるものではなく、上向きタイプのヘッドが使用されてもよいし、開放型の泡水溶液ヘッドが使用されてもよい。
【００３２】
図１、図２、及び図５を参照して、泡水溶液ヘッド１０４の全体構成を説明する。泡水溶液ヘッド１０４は、上述のとおり下向きの閉鎖型泡水溶液ヘッドであり、図２に示すように、本体１０、弁２０、感熱体３０、デフレクタ４０、フレーム５０、及びネジ６０を含んで構成される。
【００３３】
本体１０は、図示しない泡水溶液供給用の配管に接続され、当該配管から供給される泡水溶液を噴射する筒状部材である。本体１０は、図５に示すように、流入口１１、噴射口１２、流路１３、及びネジ部１４を含む。
【００３４】
流入口１１は、泡水溶液が流れ込む開口部であり、噴射口１２は、後述するデフレクタ４０に向かって泡水溶液を噴射する開口部である。流入口１１と噴射口１２との間に亘って、管状の流路１３が形成されている。流路１３の径は流入口１１から噴射口１２に向かうにつれて縮小し、これによって、噴射口１２から噴射される泡水溶液の流速が向上する。本体１０の外周面には、配管への取付けのために、ネジ部１４が形成されている。
【００３５】
弁２０は、噴射口１２を閉塞する弁体である。弁２０は、図２に例示すように筒状を呈し、一端に底部２１を、他端に鍔部２２を、それぞれ有している。よって、底部２１側の端部が本体１０内に挿入された状態では、弁２０は、鍔部２２において噴射口１２に接触し、噴射口１２を閉塞することになる。
【００３６】
感熱体３０は、弁２０が噴射口１２に密着するように弁２０を押圧するとともに、所定の熱量を感知すると噴射口１２の押圧を解除し、噴射口１２からの泡水溶液の噴射を可能にする。感熱体３０は、例えばグラスバルブであって、一方の端部３１において弁２０の鍔部２２側の端部に当接し、他方の端部３２においてネジ６０に支持されている。
【００３７】
デフレクタ４０は、本体１０から噴射された泡水溶液が衝突する円板状部材であり、泡水溶液の噴射方向（Ｚ軸方向）とほぼ直交するように配置されている。泡水溶液がデフレクタ４０に衝突し分散することで、所定の散水分布を得ることが可能となる。デフレクタ４０の詳細は追って説明する。
【００３８】
フレーム５０は、本体１０とデフレクタ４０とを連結する部材である。フレーム５０は、本体１０から泡水溶液の噴射方向に沿って延びる一対のアーム５１，５２と、アーム５１，５２の先端部同士を繋ぐ接続部５３と、を含む。接続部５３には、デフレクタ４０が取り付けられるとともに、ネジ６０を挿通するための孔５４が形成されている。
【００３９】
ネジ６０は、接続部５３の孔５４に挿通され、先端部６１において感熱体３０の端部３２を受ける。ネジ６０が接続部５３の孔５４に挿通される深さは、感熱体３０が弁２０を押圧して弁２０が噴射口１２を閉塞するように、適宜調整される。
【００４０】
図３及び図４を参照して、デフレクタ４０を詳細に説明する。
デフレクタ４０は、上述したように泡水溶液を衝突させて所望の散水分布を得るための円板状部材であって、例えば金属材料で作製される。デフレクタ４０は、図示するように隆起部４１、外延部４２、段差部４３、及びスリット４４を含む。
【００４１】
本実施形態のデフレクタ４０においては、隆起部４１、外延部４２及び段差部４３が単一の材料で一体的に形成されており、隆起部４１は、外延部４２よりも噴射口１２側（Ｚ軸の正側）に位置する円板状の部分であり、デフレクタ４０の中央部が噴射口１２側に隆起することで形成された部分とも言える。
【００４２】
かかる隆起部４１は、概してこれに衝突する泡水溶液をデフレクタ４０の外縁に向かう方向に案内するものであり、より具体的には、泡水溶液を本体１０の軸心を中心とした床面上の略円状に略均一に分散・噴射させ、当該円の外周側と中心付近との水量バランスをとる役割を果たす。即ち、泡水溶液が分散・噴射される床面部分において、外側及び中心付近を含む全体にまんべんなく泡水溶液がゆきわたるように機能する。図４に示すように、隆起部４１は、泡水溶液を衝突させるために噴射口１２側を向く平坦な面４１Ａを有し、これにより、衝突する泡水溶液をデフレクタ４０（外延部４２）の外縁に向かう方向に案内する。
【００４３】
外延部４２は、隆起部４１から流れてきた泡水溶液、及び外縁部４２に直接に衝突する泡水溶液を、外縁またはスリット４４に案内することで、泡水溶液を分散させる。外延部４２は、隆起部４１の外縁に段差部４３を経て（介して）一体的に延設される。したがって、外縁部４２は、隆起部４１よりも下側（Ｚ軸の負側）に設けられている。
【００４４】
段差部４３は、隆起部４１と外延部４２とを一体的に接続する部分である。段差部４３は、例えば図４のように、下方に向かうにつれて径が拡大し、テーパー形状をなしていている。テーパー形状の傾きが直角に近づくほど大きくなると、遠方の水量を確保することができる。
【００４５】
スリット４４は、外縁部４２に形成された切込みであり、ここでは外延部４２の外縁から段差部４３に向かって設けられている。
【００４６】
図２及び図５を参照して、泡水溶液ヘッド１０４の動作を説明する。
泡水溶液ヘッド１０４は、通常、図２に示すように、噴射口１２が弁２０によって閉塞された状態にある。したがって、配管から供給された泡水溶液は、加圧された状態で本体１０内に留まることになる。
【００４７】
感熱体３０が所定の熱量を感知すると、感熱体３０は破壊ないし変形する。そうすると、弁２０は、泡水溶液の圧力に抗する感熱体３０の押圧力を失い、噴射口１２から外れる。その結果、図５に矢印Ｗ１，Ｗ２で示されるように、本体１０内の泡水溶液が噴射口１２からデフレクタ４０に向かって噴射することになる。
【００４８】
デフレクタ４０の隆起部４１に衝突した泡水溶液は、図５に矢印Ｗ３で示すように、外延部４２に向かうように方向づけられる。そして、外延部４２に到達した泡水溶液は、外延部４２の外縁又はスリット４４から散水される。
【００４９】
（３）泡消火設備
立体駐車場１００は、泡水溶液ヘッド１０４に泡消火薬剤を供給するための泡消火薬剤貯蔵槽を含む、図示しない泡消火設備を具備している。泡消火設備は、泡消火薬剤貯蔵槽に貯蔵されている泡消火薬剤を発泡させた状態で泡水溶液ヘッド１０４から防火領域に供給（分散放射）するものである。
【００５０】
かかる泡消火設備としては、従来の構成のものを使用することができる。また、上記の泡消火薬剤には、本考案の効果を損なわない範囲で種々の泡消火薬剤を使用することができるが、なかでも水成膜泡消火薬剤が好適に使用される。水成膜泡消火薬剤は、発泡すると油面に水成膜を生成して、優れた消火性能を発揮するものである。
【００５１】
かかる水成膜泡消火薬剤としては、種々の水成膜泡消火薬剤を使用することができる。例えば、合成界面活性剤を基材としてフッ素系界面活性剤が添加されたものでもよいし、非フッ素系界面活性剤が添加されたものでもよい。
【００５２】
ここで、泡消火薬剤の発泡倍率は５倍未満である。法令上、発泡倍率５倍未満の泡消火設備に対しては、泡消火薬剤の２５％還元時間は要求されないため、本実施形態では２５％還元時間を問わないこととしている。
【００５３】
以上、本考案の一実施形態である防鳥・消火機能付き建造物構造について説明したが、本考案はこれらのみに限定されるものではなく、本考案の技術的思想を具備する限りは種々の設計変更が可能であり、かかる設計変更態様は全て本考案の技術的範囲に含まれる。また、本考案は、当然に、本考案の防鳥・消火機能付き建造物構造における防鳥・消火（防火）方法にも関する。
【００５４】
即ち、本考案は、屋根を有する建造物内において、床上の防火区域の略上方に網目構造を有する防鳥ネットを設置し、前記防鳥ネットの上方に少なくとも１つの泡水溶液ヘッドを設置し、前記泡水溶液ヘッドに泡消火薬剤を供給するための泡消火薬剤貯蔵槽を設置し、前記防鳥ネットが難燃性樹脂で構成されており、前記網目構造が略正方形の開口を有し前記開口の一辺が１０〜５０ｍｍであり、前記泡水溶液ヘッドから放出される前記泡消火薬剤の発泡倍率が５倍未満であること、を特徴とする防鳥・消火機能付き建造物構造を用いた防鳥・消火（防火）方法も提供する。
【実施例】
【００５５】
図６に示すような構造の立体駐車場１００において、防鳥ネット１０２を設置したときに泡水溶液ヘッド（ＣＸヘッド）１０４の泡放射性能に影響があるか確認を行った。検証項目は分布性能、消火性能と防鳥効果を確認した。ただし、発泡倍率及び２５％還元時間は、５倍未満の設備に対して要求されないので、評価項目から外している。
【００５６】
ＣＸヘッド１０４としては、ヤマトプロテック（株）製のＹＣＸＰ６８−２６を４つ使用し、取付け高さは床面（ＧＬ）から２８００ｍｍとした。また、放射圧力はヘッド仕様下限値である０．３５ＭＰａとした。
【００５７】
また、防鳥ネット１０２としては、（株）フジナガ製の「ＢＦ３バードネット２５（難燃性ポリエチレン製、網目２５ｍｍ×２５ｍｍ）と、これを参考にして網目の寸法を表１に示す寸法に変更して作製した各防鳥ネットを使用し、ＣＸヘッド１０４の下３００ｍｍの位置に設置した。
【００５８】
その他の試験条件／基準は「特定駐車場における必要とされる防火安全性能を有する消防の用に供する設備等に関する省令（平成２６年総務省令第２３号）」及び「特定駐車場用泡消火設備の設置及び維持に関する技術上の基準（平成２６年消防庁告示第５号）」に則った。結果を表１に示した。
【００５９】
【表１】
0003227066.tif 000003
【００６０】
なお、表１に試験結果を示した各試験項目の評価は、以下のとおりとした。
（１）分布
分布については、「特定駐車場用泡消火設備の設置及び維持に関する技術上の基準（平成２６年消防庁告示第５号）」に示される、設計上の発泡倍率が５倍未満で泡水溶液を放射する閉鎖型泡水溶液ヘッドの放射分布試験の要領に従って実施し、基準を満足した場合を「○」、基準に満たない場合を「×」とした。
（２）消火
消火については、「特定駐車場用泡消火設備の設置及び維持に関する技術上の基準（平成２６年消防庁告示第５号）」に示される、有効放射範囲の試験方法に従って実施し、基準を満足した場合を「○」、基準に満たない場合を「×」とした。
（３）防鳥
防鳥については、小型の鳥類（例えばスズメやツバメ）が通り抜けられない程度の開口寸法である場合を「○」とした。
（４）総合評価
上記（１）〜（３）の試験結果について、全て「〇」の場合を「〇」、「〇」が２個以下で「×」が０個の場合を「△」、「×」が１個以上の場合を「×」と、総合的に評価した。
【００６１】
表１に示す結果から、防鳥ネットの網目構造が略正方形の開口を有し開口の一辺が１０〜５０ｍｍであれば総合評価に優れており、更に、開口の一辺が１５〜４５ｍｍであれば総合評価に特に優れていることがわかる。
【符号の説明】
【００６２】
１００・・・立体駐車場、
１０２・・・防鳥ネット
１０４・・・泡水溶液ヘッド
【図１】
0003227066.tif 000004
【図２】
0003227066.tif 000005
【図３】
0003227066.tif 000006
【図４】
0003227066.tif 000007
【図５】
0003227066.tif 000008
【図６】
0003227066.tif 000009